(57)【要約】【課題】  クラックの発生を抑制することが可能な積層コンデンサを提供すること。【解決手段】  積層コンデンサＣ１は、誘電体層１０〜１４と第１及び第２の内部電極２０、２１、３０、３１とが交互に積層されたコンデンサ素体１を備える。第１の内部電極２０、２１はコンデンサ素体１の第１の外表面１ａに、第２の内部電極３０、３１はコンデンサ素体１の第２の外表面１ｂにそれぞれ引き出されている。第１の内部電極２０、２１は、第１の外表面１ａに臨むように形成された第１の領域２４、２５と、第１の領域２４、２５とつながり且つ第１の領域２４、２５に比べて幅の狭い第３の領域２６、２７とを有する。第２の内部電極３０，３１は、第２の外表面１ｂに臨むように形成された第３の領域３４、３５と、第３の領域３４、３５とつながり且つ第３の領域３４、３５に比べて幅の狭い第４の領域３６、３７とを有する。【選択図】  図２
2007220917.tif 000002
【特許請求の範囲】
【請求項１】
コンデンサ素体と、前記コンデンサ素体の第１の外表面に形成された第１の端子電極と、前記コンデンサ素体の第２の外表面に形成された第２の端子電極と、を備えた積層型コンデンサであって、
前記コンデンサ素体は、誘電体層と、該誘電体層を挟んで対向するように配された第１及び第２の内部電極と、を有しており、
前記第１の内部電極は、前記第１の外表面に引き出されるように設けられると共に前記第１の端子電極に電気的に接続され、且つ、前記第１の外表面側の端から伸びる第１のスリット部を有し、
前記第２の内部電極は、前記第２の外表面に引き出されるように設けられると共に前記第２の端子電極に電気的に接続され、且つ、前記第２の外表面側の端から伸びる第２のスリット部を有し、
前記第１のスリット部は、前記第１の外表面に臨むように位置すると共に第１の幅を有する第１の領域と、該第１の領域につながるように位置すると共に前記第１の幅よりも狭い第２の幅を有する第２の領域と、を含み、
前記第２のスリット部は、前記第２の外表面に臨むように位置すると共に第３の幅を有する第３の領域と、該第３の領域につながるように位置すると共に前記第３の幅よりも狭い第４の幅を有する第４の領域と、を含むことを特徴とする積層型コンデンサ。
【請求項２】
前記第１の領域は、前記第１及び第２の内部電極の対向方向に見て、前記第２の内部電極の前記第１の外表面側の端と前記第１の外表面との間の範囲に位置し、
前記第３の領域は、前記第１及び第２の内部電極の対向方向に見て、前記第１の内部電極の前記第２の外表面側の端と前記第２の外表面との間の範囲に位置することを特徴とする請求項１に記載の積層型コンデンサ。
【請求項３】
前記第１の内部電極は、前記第１のスリット部を複数有すると共に、前記第２の領域を接続するように伸びるスリット部を更に有し、
前記第２の内部電極は、前記第２のスリット部を複数有すると共に、前記第４の領域を接続するように伸びるスリット部を更に有することを特徴とする請求項１又は請求項２に記載の積層型コンデンサ。
【請求項４】
前記第１のスリット部は、前記第２の領域を複数含み、
前記第２のスリット部は、前記第４の領域を複数含むことを特徴とする請求項１〜３のいずれか一項に記載の積層型コンデンサ。
【請求項５】
前記第１の外表面と前記第２の外表面とが対向しており、
前記第１及び第２の内部電極は、前記第１及び第２の外表面の対向方向を長手方向とする略長方形状を呈し、
前記第２の領域は、前記第１の内部電極の長手方向に沿って、前記第１の内部電極の前記第２の外表面側の短辺に達することなく伸び、
前記第４の領域は、前記第２の内部電極の長手方向に沿って、前記第２の内部電極の前記第１の外表面側の短辺に達することなく伸びていることを特徴とする請求項１〜４のいずれか一項に記載の積層型コンデンサ。
【請求項６】
前記第２の領域と前記第４の領域とが、前記第１及び第２の内部電極の対向方向に見て互いに重なりあう部分を有するように位置していることを特徴とする請求項１〜５のいずれか一項に記載の積層型コンデンサ。
【発明の詳細な説明】
【技術分野】
【０００１】
本発明は、積層コンデンサに関するものである。
【背景技術】
【０００２】
この種の積層コンデンサとして、複数の誘電体層と複数の内部電極とが交互に積層された積層体であるコンデンサ素体と、当該コンデンサ素体に形成された端子電極とを備えたものが知られている。このような積層コンデンサでは、端子電極が形成されたコンデンサ素体の外表面近傍において誘電体層と内部電極とが良好に密着せず、クラックが発生してしまうという問題がある。
【０００３】
こうした問題に対し、内部電極のコンデンサ素体外表面近傍の領域にスリット部（無電極部）を形成し、当該スリット部を介して誘電体層同士を接触させることでコンデンサ素体の外表面近傍における層間の密着性を高めることが検討されている（例えば、特許文献１参照）。
【特許文献１】特開平１０−２２１７２号公報
【発明の開示】
【発明が解決しようとする課題】
【０００４】
本発明は、クラックの発生を抑制することが可能な積層コンデンサを提供することを課題とする。
【課題を解決するための手段】
【０００５】
本発明者は、クラックの発生を抑制し得る積層コンデンサについて鋭意検討を行った結果、積層コンデンサを製造する際の脱バインダ工程でクラックの発生を誘発する場合があるという事実を新たに見出した。積層コンデンサの製造方法として、電極パターンが印刷されたセラミックグリーンシートを積層し、バインダを除去した後に焼成して、コンデンサ素体を形成する方法が知られている。電極パターン及びセラミックグリーンシートにはバインダ及び溶剤等が含まれているので、脱バインダ工程では、バインダ及び溶剤等を分解してガス化（揮発）させ、生じたガスをグリーンシートが積層された積層体の外部に放出させることにより、バインダ及び溶剤を除去している。電極パターンには、例えばバインダ（樹脂）としてエチルセルロースが、溶剤としてターピネオールが含まれている。セラミックグリーンシートには、例えばバインダ（樹脂）としてブチラールが、溶剤としてトルエンが含まれている。一般に、バインダが揮発する温度（例えば、約３００℃）は溶剤が揮発する温度（例えば、約９０℃）に比べて高い。本発明者は、バインダを除去する際に、生じたガスがコンデンサ素体内から十分に放出されず内部にたまってしまうことでクラックが発生するという事実を見出した。
【０００６】
こうした事実に対し、特許文献１では、脱バインダ工程において生じるガスを積層体の外部に放出することについて何の検討もなされていない。
【０００７】
そこで、本発明者は、内部電極に対し、コンデンサ素体の外表面に臨む幅の広い領域と当該領域につながる幅の狭い領域とを有するスリット部を設けることで、層間の密着度を高めるだけでなく、バインダを除去する際に生じるガスを外部に放出しやすくする積層コンデンサに思い至った。
【０００８】
このような検討結果を踏まえ、本発明による積層コンデンサは、コンデンサ素体と、コンデンサ素体の第１の外表面に形成された第１の端子電極と、コンデンサ素体の第２の外表面に形成された第２の端子電極と、を備えた積層型コンデンサであって、コンデンサ素体は、誘電体層と、該誘電体層を挟んで対向するように配された第１及び第２の内部電極と、を有しており、第１の内部電極は、第１の外表面に引き出されるように設けられると共に第１の端子電極に電気的に接続され、且つ、第１の外表面側の端から伸びる第１のスリット部を有し、第２の内部電極は、第２の外表面に引き出されるように設けられると共に第２の端子電極に電気的に接続され、且つ、第２の外表面側の端から伸びる第２のスリット部を有し、第１のスリット部は、第１の外表面に臨むように位置すると共に第１の幅を有する第１の領域と、該第１の領域につながるように位置すると共に第１の幅よりも狭い第２の幅を有する第２の領域と、を含み、第２のスリット部は、第２の外表面に臨むように位置すると共に第３の幅を有する第３の領域と、該第３の領域につながるように位置すると共に第３の幅よりも狭い第４の幅を有する第４の領域と、を含むことを特徴とする。
【０００９】
上記積層コンデンサにおいて、第１の内部電極は第１のスリット部を、第２の内部電極は第２のスリット部をそれぞれ有する。第１のスリット部は第１の端子電極が形成されたコンデンサ素体の第１の外表面に臨むように位置する第１の領域を、第２のスリット部は第２の端子電極が形成されたコンデンサ素体の第２の外表面に臨むように位置する第３の領域をそれぞれ有する。そのため、コンデンサ素体の外表面近傍で内部電極と誘電体層とが積層される層間であっても、第１及び第２のスリット部が形成されている領域に関しては誘電体層とコンデンサ素体とが直接接触して積層され、外表面近傍においても層間の密着性が良好になる。その結果、上記積層コンデンサでは、クラックの発生を抑制することが可能となる。また、第１のスリット部は第１の領域と連続する第２の領域を、第２のスリット部は第３の領域と連続する第４の領域を含む。したがって、第２及び第４の領域は、バインダを除去する際に生じるガスを外部に放出させる通路として、さらに第１及び第３の領域は第２及び第４の領域を通ってきたガスを放出する放出口として機能する。そのため、上記積層コンデンサではバインダを除去する際に生じるガスの放出が容易となり、積層コンデンサにおけるクラックの発生がより一層効果的に抑制されることとなる。このように、コンデンサ素体の層間の密着性を高めるとともに、バインダを除去する際に生じるガスの放出を容易とすることで、上記積層コンデンサはクラックの発生を十分に抑制することが可能となる。また、上記ガスの放出を促進するための第２及び第４のスリット部の幅（第２及び第４の幅）は第１及び第３のスリット部の幅（第１及び第３の幅）と比較して狭いため、静電容量の低減を抑えつつクラックの発生を抑制することが可能となる。
【００１０】
第１の領域は、第１及び第２の内部電極の対向方向に見て、第２の内部電極の第１の外表面側の端と第１の外表面との間の範囲に位置し、第３の領域は、第１及び第２の内部電極の対向方向に見て、第１の内部電極の第２の外表面側の端と第２の外表面との間の範囲に位置することが好ましい。
【００１１】
この場合、第１及び第３の領域は内部電極のうち静電容量の形成に寄与しない部分に形成されることとなり、積層コンデンサの静電容量を低下させることなくクラックの発生を抑制することが可能となる。
【００１２】
第１の内部電極は、第１のスリット部を複数有すると共に、第２の領域を接続するように伸びるスリット部を更に有し、第２の内部電極は、第２のスリット部を複数有すると共に、第４の領域を接続するように伸びるスリット部を更に有することが好ましい。
【００１３】
このように第１及び第２のスリット部をそれぞれ複数形成し、これらを接続するスリット部を形成することで、バインダを除去する際に生じるガスが様々な経路を通ることが可能となる。そのため、上記ガスの放出をより一層促進することが可能となる。
【００１４】
第１のスリット部は、第２の領域を複数含み、第２のスリット部は、第４の領域を複数含んでもよい。このように各スリット部が複数の領域を含むことで、バインダを除去する際に生じるガスが様々な経路を通ることが可能となる。そのため、バインダを除去する際に生じるガスの放出をより一層促進することが可能となる。
【００１５】
第１の外表面と第２の外表面とが対向しており、第１及び第２の内部電極は、第１及び第２の外表面の対向方向を長手方向とする略長方形状を呈し、第２の領域は、第１の内部電極の長手方向に沿って、第１の内部電極の第２の外表面側の短辺に達することなく伸び、第４の領域は、第２の内部電極の長手方向に沿って、第２の内部電極の第１の外表面側の短辺に達することなく伸びていることが好ましい。このように第２及び第４の領域を形成することで、バインダを除去する際に生じるガスが効果的に放出される。
【００１６】
また、第２の領域と第４の領域とが、第１及び第２の内部電極の対向方向に見て互いに重なりあう部分を有するように位置していることが好ましい。この場合第２及び第４の領域の形成による静電容量の低下を効率的に抑えることが可能となる。
【発明の効果】
【００１７】
本発明によれば、クラックの発生を抑制することが可能な積層コンデンサを提供することができる。
【発明を実施するための最良の形態】
【００１８】
以下、添付図面を参照して、本発明の好適な実施形態について詳細に説明する。なお、説明において、同一要素又は同一機能を有する要素には、同一符号を用いることとし、重複する説明は省略する。
【００１９】
（第１実施形態）
図１及び図２を参照して、第１実施形態に係る積層コンデンサＣ１の構成について説明する。図１は、第１実施形態に係る積層コンデンサの斜視図である。図２は、第１実施形態に係る積層コンデンサに含まれるコンデンサ素体の分解斜視図である。
【００２０】
積層コンデンサＣ１は、図１に示されるように、コンデンサ素体１と、当該コンデンサ素体１に形成された第１及び第２の端子電極３、５とを備える。
【００２１】
第１の端子電極３は、コンデンサ素体１の第１の外表面１ａ上に形成されている。第２の端子電極５は、第１の外表面１ａと対向するコンデンサ素体１の第２の外表面１ｂ上に形成されている。第１の端子電極３と第２の端子電極５とは、互いに電気的に絶縁されている。
【００２２】
コンデンサ素体１は、図２に示されるように、複数（本実施形態では、５層）の誘電体層１０〜１４と、複数（本実施形態では、４層）の内部電極２０、２１、３０、３１とが交互に積層されることにより構成される。すなわち、各１層の第１及び第２の内部電極２０、２１、３０、３１が１層の誘電体層１０〜１４を挟んで対向するように配されている。実際の積層コンデンサＣ１では、誘電体層１０〜１４の間の境界が視認できない程度に一体化されている。
【００２３】
各第１の内部電極２０、２１は、第１及び第２の外表面１ａ、１ｂの対向方向を長手方向とする略長方形状を呈している。第１の内部電極２０、２１は、第１の外表面１ａに引き出されるように設けられると共に第１の端子電極３に電気的に接続される。第１の内部電極２０、２１は、コンデンサ素体１における第１及び第２の内部電極２０、２１、３０、３１の対向方向（以下、単に「内部電極対向方向」と称する。）に平行な外表面（第１の外表面１ａを除く）から所定の間隔を有した位置にそれぞれ形成されている。
【００２４】
各第１の内部電極２０、２１は、第１の外表面１ａ側の端から伸びる第１のスリット部２２、２３を有する。各第１のスリット部２２、２３は、誘電体層１１、１３が露出するように形成されている。各第１のスリット部２２、２３は、第１の領域２４、２５と複数（本実施形態では各２つ）の第２の領域２６ａ、２６ｂ、２７ａ、２７ｂとを含む。各第１の領域２４、２５は、第１の外表面１ａに臨むように位置する。各第２の領域２６ａ、２６ｂ、２７ａ、２７ｂは、対応する第１の領域２４、２５につながるように位置する。
【００２５】
第１のスリット部２２の各第２の領域２６ａ、２６ｂは、第１の内部電極２０の第２の外表面１ｂ側の短辺２０ａから第１の外表面１ａに向かって所定距離離れたところまで、第１の内部電極２０の長手方向２０ｂに沿って伸びる。各第２の領域２６ａ、２６ｂは、第１の内部電極２０の第２の外表面１ｂ側の短辺２０ｃに達することがなく、且つ、第２の領域２６ａ、２６ｂによって第１の内部電極２０が電気的に分断されることのないように位置している。
【００２６】
第１のスリット部２３の各第２の領域２７ａ、２７ｂは、第１の内部電極２１の第２の外表面１ｂ側の短辺２１ａから第１の外表面１ａに向かって所定距離離れたところまで、第１の内部電極２１の長手方向２１ｂに沿って伸びる。各第２の領域２７ａ、２７ｂは、第１の内部電極２１の第２の外表面１ｂ側の短辺２１ｃに達することがなく、且つ、第２の領域２７ａ、２７ｂによって第１の内部電極２１が電気的に分断されることのないように位置している。
【００２７】
各第２の内部電極３０、３１は、第１及び第２の外表面１ａ、１ｂの対向方向を長手方向とする略長方形状を呈している。第２の内部電極３０、３１は、第２の外表面１ｂに引き出されるように設けられると共に第２の端子電極５に電気的に接続される。第２の内部電極３０、３１は、コンデンサ素体１の内部電極対向方向に平行な外表面（第２の外表面１ｂを除く）から所定の間隔を有した位置にそれぞれ形成されている。
【００２８】
各第２の内部電極３０、３１は、第２の外表面１ｂ側の端から伸びる第２のスリット部３２、３３を有する。各第２のスリット部３２、３３は、誘電体層１２、１４が露出するように形成されている。各第２のスリット部３２、３３は、第３の領域３４、３５と複数（本実施形態では各２つ）の第４の領域３６ａ、３６ｂ、３７ａ、３７ｂとを含む。各第３の領域３４、３５は、第２の外表面１ｂに臨むように位置する。各第４の領域３６ａ、３６ｂ、３７ａ、３７ｂは、対応する第３の領域３４、３５につながるように位置する。
【００２９】
第２のスリット部３２の各第４の領域３６ａ、３６ｂは、第２の内部電極３０の第１の外表面１ａ側の短辺３０ａから第１の外表面１ａに向かって所定距離離れたところまで、第２の内部電極３０の長手方向３０ｂに沿って伸びる。各第４の領域３６ａ、３６ｂは、第２の内部電極３０の第１の外表面１ａ側の短辺３０ｃに達することがなく、且つ、第４の領域３６ａ、３６ｂによって第２の内部電極３０が電気的に分断されることのないように位置している。
【００３０】
第２のスリット部３３の各第４の領域３７ａ、３７ｂは、第２の内部電極３１の第２の外表面１ｂ側の短辺３１ａから第１の外表面１ａに向かって所定距離離れたところまで、第２の内部電極３１の長手方向３１ｂに沿って伸びる。各第４の領域３７ａ、３７ｂは、第２の内部電極３１の第１の外表面１ａ側の短辺３１ｃに達することがなく、且つ、第４の領域３７ａ、３７ｂによって第２の内部電極３１が電気的に分断されることのないように位置している。
【００３１】
第１のスリット部２２、２３の第１の領域２４、２５はいずれも、コンデンサ素体１の第１の外表面１ａ近傍に形成されている。より具体的には、第１のスリット部２２、２３の第１の領域２４、２５はいずれも、内部電極対向方向に見て、第２の内部電極３０、３１の第１の外表面１ａ側の端３０ｃ、３１ｃと第１の外表面１ａとの間の範囲に位置する。
【００３２】
第２のスリット部３２、３３の第３の領域３４、３５はいずれも、コンデンサ素体１の第２の外表面１ｂ近傍に形成されている。より具体的には、第２のスリット部３２、３３の第３の領域３４、３５は、内部電極対向方向に見て、第１の内部電極２０、２１の第２の外表面１ｂ側の端２０ｃ、２１ｃと第２の外表面１ｂとの間の範囲に位置する。
【００３３】
第１のスリット部２２、２３の第２の領域２６ａ、２６ｂ、２７ａ、２７ｂ及び第２のスリット部３２，３３の第４の領域３６ａ、３６ｂ、３７ａ、３７ｂがコンデンサ素体１の内部電極対向方向で見て互いに重なりあう部分を有するように、第２の領域２６ａ、２６ｂ、２７ａ、２７ｂ及び第４の領域３６ａ、３６ｂ、３７ａ、３７ｂはそれぞれ形成されている。より具体的には、第２の領域２６ａ、２７ａと第４の領域３６ａ、３７ａとが、コンデンサ素体１の内部電極対向方向で見て互いに重なり合う部分を有するようにそれぞれ形成されている。また、第２の領域２６ｂ、２７ｂと第４の領域３６ｂ、３７ｂとが、コンデンサ素体１の内部電極対向方向で見て互いに重なり合う部分を有するようにそれぞれ形成されている。
【００３４】
図３を参照して、第１のスリット部２２の第１の領域２４と第２の領域２６ａ、２６ｂとの関係及び第２のスリット部３２の第３の領域３４と第４の領域３６ａ、３６ｂとの関係についてそれぞれ詳細に説明する。図３（ａ）は、第１の領域２４の幅と第２の領域２６ａ、２６ｂの幅との関係を説明するための図である。図３（ａ）に示されるように、第２の領域２６ａ、２６ｂそれぞれの幅である第２の幅Ｄ２６ａ、Ｄ２６ｂは、第１の領域２４の幅である第１の幅Ｄ２４に比べて狭い。すなわち、Ｄ２４＞Ｄ２６ａ、Ｄ２６ｂとなる。ここで、第１の幅Ｄ２４は、第１の領域２４のコンデンサ素体１の第１の外表面１ａにおける幅をいう。
【００３５】
図３（ｂ）は、第３の領域３４の幅と第４の領域３６ａ、３６ｂの幅との関係を説明するための図である。図３（ｂ）に示されるように、第４の領域３６ａ、３６ｂそれぞれの幅である第４の幅Ｄ３６ａ、Ｄ３６ｂは、第３の領域３４の幅である第３の幅Ｄ３４に比べて狭い。すなわち、Ｄ３４＞Ｄ３６ａ、Ｄ３６ｂとなる。ここで、第３の幅Ｄ３４は、第３の領域３４のコンデンサ素体１の第２の外表面１ｂにおける幅をいう。
【００３６】
また、図示は省略するが、第１のスリット部２３の第２の領域２７ａ、２７ｂそれぞれの幅である第２の幅Ｄ２７ａ、Ｄ２７ｂは、第１の領域２５の幅である第１の幅Ｄ２５に比べて狭い。すなわち、Ｄ２５＞Ｄ２７ａ、Ｄ２７ｂとなる。同じく、図示は省略するが、第２のスリット部３３の第４の領域３７ａ、３７ｂそれぞれの幅である第４の幅Ｄ３７ａ、Ｄ３７ｂは、第３の領域３５の幅である第３の幅Ｄ３５に比べて狭い。すなわち、Ｄ３５＞Ｄ３５ａ、Ｄ３５ｂとなる。ここで、第１の幅Ｄ２５は、第１の領域２５のコンデンサ素体１の第１の外表面１ａにおける幅をいう。また、第３の幅Ｄ３５は、第３の領域３５のコンデンサ素体１の第２の外表面１ｂにおける幅をいう。
【００３７】
積層コンデンサＣ１の第１の内部電極２０、２１にはコンデンサ素体１の第１の外表面１ａに臨むように第１のスリット部２２、２３の第１の領域２４、２５が、第２の内部電極３０、３１にはコンデンサ素体１の第２の外表面１ｂに臨むように第２のスリット部３２、３３の第３の領域３４、３５が形成されている。これらの第１及び第３の領域２４、２５、３４、３５は、誘電体層１１〜１４が露出するように形成されている。そのため、端子電極３、５が形成されたコンデンサ素体１の第１の外表面１ａ、１ｂ近傍で第１又は第２の内部電極２０、２１、３０、３１と誘電体層１０〜１４とが積層される層間では、第１又は第３の領域２４、２５、３４、３５が形成されている領域において、コンデンサ素体１を構成する誘電体層１０〜１４同士が直接接触して積層される。
【００３８】
すなわち、コンデンサ素体１の第１の外表面１ａ近傍で第１の内部電極２０と誘電体層１０、１１とが積層される層間では、第１のスリット部２２の第１の領域２４が形成されている領域において誘電体層１０、１１同士が直接接触して積層される。コンデンサ素体１の第１の外表面１ａ近傍で第１の内部電極２１と誘電体層１２、１３とが積層される層間では、第１のスリット部２３の第１の領域２５が形成されている領域において誘電体層１２、１３同士が直接接触して積層される。一方、コンデンサ素体１の第２の外表面１ｂ近傍で第２の内部電極３０と誘電体層１１、１２とが積層される層間では、第２のスリット部３２の第３の領域３４が形成されている領域において誘電体層１１、１２同士が直接接触して積層される。コンデンサ素体１の第２の外表面１ｂ近傍で第２の内部電極３１と誘電体層１３、１４とが積層される層間では、第２のスリット部３３の第３の領域３５が形成されている領域において誘電体層１３、１４同士が直接接触して積層される。
【００３９】
誘電体層同士の密着性は、誘電体層と内部電極との間の密着性に比べ極めて高い。そのため、積層コンデンサＣ１では、コンデンサ素体１の第１の外表面１ａ、１ｂ近傍においても層間の密着性が良好になり、クラックの発生を抑制することが可能となる。なお、第１及び第３の領域２４、２５、３４、３５の外表面１ａ、１ｂに臨む幅は、広い方がより大きい面積で誘電体層同士を接触させられ密着性をより一層向上できるため好適である。
【００４０】
また、第１の内部電極２０、２１の第１のスリット部２２、２３にはさらに第２の領域２６ａ、２６ｂ、２７ａ、２７ｂが、第２の内部電極３０、３１の第２のスリット部３２、３３にはさらに第４の領域３６ａ、３６ｂ、３７ａ、３７ｂがそれぞれ誘電体層１１〜１４を露出するように形成されている。したがって、第２及び第４の領域２６ａ、２６ｂ、２７ａ、２７ｂ、３６ａ、３６ｂ、３７ａ、３７ｂが形成されている領域に関しては、内部電極を間に挟むように位置する誘電体層１１〜１４同士が直接接触する。そのため、コンデンサ素体１の外表面近傍以外の部分においても密着度が向上し、クラックの発生をより一層抑制することが可能となる。
【００４１】
また、第２及び第４の領域２６ａ、２６ｂ、２７ａ、２７ｂ、３６ａ、３６ｂ、３７ａ、３７ｂが形成されている領域には、実際には電極が存在しないため、コンデンサ素体１に対し積層方向に沿って力を加えた場合、第２及び第４の領域２６ａ、２６ｂ、２７ａ、２７ｂ、３６ａ、３６ｂ、３７ａ、３７ｂが形成された領域に対して加わる力は弱くなる。そのため、第２及び第４の領域２６ａ、２６ｂ、２７ａ、２７ｂ、３６ａ、３６ｂ、３７ａ、３７ｂを介して密着する誘電体層は比較的弱い圧力で一体にされる。したがって、第２及び第４の領域２６ａ、２６ｂ、２７ａ、２７ｂ、３６ａ、３６ｂ、３７ａ、３７ｂは、バインダを除去する際に生じるガスを外部に放出させる通路として機能する。
【００４２】
また、第１のスリット部２２、２３において、第１の領域２４、２５の幅（第１の幅）Ｄ２４、Ｄ２５と第２の領域２６ａ、２６ｂ、２７ａ、２７ｂの幅（第２の幅）とはそれぞれ、Ｄ２４＞Ｄ２６ａ、Ｄ２６ｂ、Ｄ２５＞Ｄ２７ａ、Ｄ２７ｂの関係を満たす。第２のスリット部３２、３３において、第３の領域３４、３５の幅（第３の幅）Ｄ３４、Ｄ３５と第４の領域３６ａ、３６ｂ、３７ａ、３７ｂの幅（第４の幅）とはそれぞれ、Ｄ３４＞Ｄ３６ａ、Ｄ３６ｂ、Ｄ３５＞Ｄ３７ａ、Ｄ３７ｂの関係を満たす。さらに、第１のスリット部２２、２３において各第２の領域２６ａ、２６ｂ、２７ａ、２７ｂは対応する第１の領域２４、２５と、第２のスリット部３２、３３において各第４の領域３６ａ、３６ｂ、３７ａ、３７ｂは対応する第３の領域３４、３５とそれぞれ連続し、第１及び第３の領域２４、２５、３４、３５は第２及び第４の領域２６ａ、２６ｂ、２７ａ、２７ｂ、３６ａ、３６ｂ、３７ａ、３７ｂを通ってきたガスの放出口として機能する。第１及び第２のスリット部２２、２３、３２、３３において、第１及び第２の領域２４、２５、２６ａ、２６ｂ、２７ａ、２７ｂ、並びに第３及び第４の領域３４、３５、３６ａ、３６ｂ、３７ａ、３７ｂそれぞれがこのように有機的に関連することにより、積層コンデンサＣ１ではバインダを除去する際に生じるガスの放出をより一層促進することが可能となる。
【００４３】
このように、積層コンデンサＣ１では、第１及び第２のスリット部２２、２３、３２、３３を形成してコンデンサ素体１の層間の密着性を高めるとともに、これらのスリット部２２、２３、３２、３３の形状を工夫してバインダを除去する際に生じるガスの放出を容易とすることで、クラックの発生を効果的に抑制することを可能とする。
【００４４】
また、バインダを除去する際に生じるガスを放出するための通路として機能する第２及び第４の領域２６ａ、２６ｂ、２７ａ、２７ｂ、３６ａ、３６ｂ、３７ａ、３７ｂそれぞれの幅は、第１及び第３の領域２４、２５、３４、３５の幅に比べて狭い。そのため、積層コンデンサＣ１では、静電容量の低減を抑えつつ、クラックの発生を抑制することが可能となる。
【００４５】
第１のスリット部２２、２３の第１の領域２４、２５は、内部電極対向方向に見て、第２の内部電極３０、３１の第１の外表面１ａ側の端３０ｃ、３１ｃと第１の外表面１ａとの間の範囲に位置する。また、第２のスリット部３２、３３の第３の領域３４、３５は、内部電極対向方向に見て、第１の内部電極２０、２１の第２の外表面１ｂ側の端２０ｃ、２１ｃと第２の外表面１ｂとの間の範囲に位置する。すなわち、第１及び第３の領域２４、２５、３４、３５はそれぞれ、内部電極２０、２１、３０、３１のうち静電容量の形成に寄与しない部分に形成されている。したがって、積層コンデンサＣ１では、静電容量を低下させることなくクラックの発生を抑制することができる。
【００４６】
各第１のスリット部２２、２３は、第２の領域２６ａ、２６ｂ、２７ａ、２７ｂを複数（各２つ）含む。各第２のスリット部３２、３３は、第４の領域３６ａ、３６ｂ、３７ａ、３７ｂを複数（各２つ）含む。そのため、バインダを除去する際に生じるガスが様々な経路を通ることができるようになり、上記ガスの放出をより一層促進することが可能となる。
【００４７】
また、第１のスリット部２２、２３の各第２の領域２６ａ、２６ｂ、２７ａ、２７ｂは、第１の内部電極２０、２１の長手方向２０ｂ、２１ｂに沿って伸びている。第２のスリット部３２、３３の各第４の領域３６ａ、３６ｂ、３７ａ、３７ｂは、第２の内部電極３０、３１の長手方向３０ｂ、３１ｂに沿って伸びている。このように、略長方形形状の内部電極２０、２１、３０，３１に対し、長方形の長手方向に伸びる第２及び第４の領域２６ａ、２６ｂ、２７ａ、２７ｂ、３６ａ、３６ｂ、３７ａ、３７ｂを形成することで、バインダを除去する際に生じるガスの効果的な放出が可能となる。
【００４８】
第１のスリット部２２、２３の第２の領域２６ａ、２６ｂ、２７ａ、２７ｂと第２のスリット部３２、３３の第４の領域３６ａ、３６ｂ、３７ａ、３７ｂは、コンデンサ素体１の積層方向で見て互いに重なりあう部分を有するように形成されている。そのため、第２及び第４の領域２６ａ、２６ｂ、２７ａ、２７ｂ、３６ａ、３６ｂ、３７ａ、３７ｂの形成によって静電容量が低下することを効率的に抑えることが可能となる。
【００４９】
（第２実施形態）
図４を参照して、第２実施形態に係る積層コンデンサの構成について説明する。第２実施形態は、第１及び第２のスリット部がそれぞれ複数である点で第１実施形態と相違する。図４は、第２実施形態に係る積層コンデンサに含まれるコンデンサ素体の分解斜視図である。
【００５０】
第２実施形態に係る積層コンデンサは、図示は省略するが、第１実施形態に係る積層コンデンサＣ１と同じく、コンデンサ素体１と、当該コンデンサ素体１に形成された第１の端子電極３と、同じくコンデンサ素体１に形成された第２の端子電極５とを備えている。
【００５１】
コンデンサ素体１は、図４に示されるように、複数（本実施形態では、５層）の誘電体層１０〜１４と、複数（本実施形態では、４層）の内部電極４０、４１、５０、５１とが交互に積層されることにより構成される。すなわち、各１層の第１及び第２の内部電極４０、４１、５０、５１が１層の誘電体層１０〜１４を挟んで対向するように配されている。
【００５２】
各第１の内部電極４０、４１は、第１及び第２の外表面１ａ、１ｂの対向方向を長手方向とする略長方形状を呈している。第１の内部電極４０、４１は、第１の外表面１ａに引き出されるように設けられると共に第１の端子電極３に電気的に接続される。第１の内部電極４０、４１は、コンデンサ素体１における第１及び第２の内部電極４０、４１、５０、５１の対向方向（以下、単に「内部電極対向方向」と称する。）に平行な外表面（第１の外表面１ａを除く）から所定の間隔を有した位置にそれぞれ形成されている。
【００５３】
各第１の内部電極４０、４１は、第１の外表面１ａ側の端から伸びる第１のスリット部４２ａ、４２ｂ、４２ｃ、４３ａ、４３ｂ、４３ｃを複数（本実施形態では、各３つ）有する。各第１のスリット部４２ａ〜４２ｃ、４３ａ〜４３ｃは、誘電体層１１、１３が露出するように形成されている。各第１のスリット部４２ａ〜４２ｃ、４３ａ〜４３ｃは、第１の領域４４ａ〜４４ｃ、４５ａ〜４５ｃと複数（本実施形態では各２つ）の第２の領域４６ａ〜４６ｆ、４７ａ〜４７ｆとを含む。各第１の領域４４ａ〜４４ｃ、４５ａ〜４５ｃは、第１の外表面１ａに臨むように位置する。各第２の領域４６ａ〜４６ｆ、４７ａ〜４７ｆは、対応する第１の領域４４ａ〜４４ｃ、４５ａ〜４５ｃにつながるように位置する。
【００５４】
各第２の領域４６ａ〜４６ｆ、４７ａ〜４７ｆは、第１の内部電極４０、４１の第２の外表面１ｂ側の短辺から第１の外表面１ａに向かって所定距離離れたところまで、第１の内部電極４０、４１の長手方向に沿って伸びる。
【００５５】
各第２の内部電極５０、５１は、第１及び第２の外表面１ａ、１ｂの対向方向を長手方向とする略長方形状を呈している。第２の内部電極５０、５１は、第２の外表面１ｂに引き出されるように設けられると共に第２の端子電極５に電気的に接続される。第２の内部電極５０、５１は、コンデンサ素体１の内部電極対向方向に平行な外表面（第２の外表面１ｂを除く）から所定の間隔を有した位置にそれぞれ形成されている。
【００５６】
各第２の内部電極５０、５１は、第２の外表面１ｂ側の端から伸びる第２のスリット部５２ａ、５２ｂ、５２ｃ、５３ａ、５３ｂ、５３ｃを複数（本実施形態では、各３つ）有する。各第２のスリット部５２ａ〜５２ｃ、５３ａ〜５３ｃは、誘電体層１２、１４が露出するように形成されている。各第２のスリット部５２ａ〜５２ｃ、５３ａ〜５３ｃは、第３の領域５４ａ〜５４ｃ、５５ａ〜５５ｃと複数（本実施形態では各２つ）の第４の領域５６ａ〜５６ｆ、５７ａ〜５７ｆとを含む。各第３の領域５４ａ〜５４ｃ、５５ａ〜５５ｃは、第２の外表面１ｂに臨むように位置する。各第４の領域５６ａ〜５６ｆ、５７ａ〜５７ｆは、対応する第３の領域５４ａ〜５４ｃ、５５ａ〜５５ｃにつながるように位置する。
【００５７】
各第４の領域５６ａ〜５６ｆ、５７ａ〜５７ｆは、第２の内部電極５０、５１の第１の外表面１ａ側の短辺から第２の外表面１ｂに向かって所定距離離れたところまで、第２の内部電極５０、５１の長手方向に沿って伸びる。
【００５８】
第１の領域４４ａ〜４４ｃ、４５ａ〜４５ｃはいずれも、内部電極対向方向に見て、第２の内部電極５０、５１の第１の外表面１ａ側の端と第１の外表面１ａとの間の範囲に位置する。第３の領域５４ａ〜５４ｃ、５５ａ〜５５ｃはいずれも、内部電極対向方向に見て、第１の内部電極４０、４１の第２の外表面１ｂ側の端と第２の外表面１ｂとの間の範囲に位置する。
【００５９】
第２の領域４６ａ〜４６ｆ、４７ａ〜４７ｆ及び第４の領域５６ａ〜５６ｆ、５７ａ〜５７ｆがコンデンサ素体１の内部電極対向方向で見て互いに重なりあう部分を有するように、第２の領域４６ａ〜４６ｆ、４７ａ〜４７ｆ及び第４の領域５６ａ〜５６ｆ、５７ａ〜５７ｆはそれぞれ形成されている。
【００６０】
図５を参照して、第１の領域４４ａ〜４４ｃと第２の領域４６ａ〜４６ｆとの関係及び第３の領域５４ａ〜５４ｃと第４の領域５６ａ〜５６ｆとの関係についてそれぞれ詳細に説明する。図５（ａ）は、第１の領域４４ａ〜４４ｃの幅と第２の領域４６ａ〜４６ｆの幅との関係を説明するための図である。図５（ａ）に示されるように、第２の領域４６ａ〜４６ｆそれぞれの幅である第２の幅Ｄ４６ａ〜Ｄ４６ｆは、第１の領域４４ａ〜４４ｃの幅である第１の幅Ｄ４４ａ〜Ｄ４４ｃに比べて狭い。すなわち、Ｄ４４ａ＞Ｄ４６ａ、Ｄ４６ｂ、且つＤ４４ｂ＞Ｄ４６ｃ、Ｄ４６ｄ、且つＤ４４ｃ＞Ｄ４６ｅ、Ｄ４６ｆとなる。
【００６１】
図５（ｂ）は、第３の領域５４ａ〜５４ｃの幅と第４の領域５６ａ〜５６ｆの幅との関係を説明するための図である。図５（ｂ）に示されるように、第４の領域５６ａ〜５６ｆそれぞれの幅である第４の幅Ｄ５６ａ〜Ｄ５６ｆは、第３の領域５４ａ〜５４ｃの幅である第３の幅Ｄ５４ａ〜Ｄ５４ｃに比べて狭い。すなわち、Ｄ５４ａ＞Ｄ５６ａ、Ｄ５６ｂ、且つＤ５４ｂ＞Ｄ５６ｃ、Ｄ５６ｄ、且つＤ５４ｃ＞Ｄ５６ｅ、Ｄ５６ｆとなる。
【００６２】
また、図示は省略するが、第１のスリット部４３ａ〜４３ｃの第２の領域４７ａ〜４７ｆそれぞれの幅である第２の幅Ｄ４７ａ〜Ｄ４７ｆは、第１の領域４５ａ〜４５ｃの幅である第１の幅Ｄ４５ａ〜Ｄ４５ｃに比べて狭い。すなわち、Ｄ４５ａ＞Ｄ４７ａ、Ｄ４７ｂ、且つＤ４５ｂ＞Ｄ４７ｃ、Ｄ４７ｄ、且つＤ４５ｃ＞Ｄ４７ｅ、Ｄ４７ｆとなる。同じく、図示は省略するが、第２のスリット部５３ａ〜５３ｃの第４の領域５７ａ〜５７ｆそれぞれの幅である第４の幅Ｄ４７ａ〜Ｄ４７ｆは、第３の領域５５ａ〜５５ｃの幅である第３の幅Ｄ５５ａ〜Ｄ５５ｃに比べて狭い。すなわち、Ｄ５５ａ＞Ｄ５７ａ、Ｄ５７ｂ、且つＤ５５ｂ＞Ｄ５７ｃ、Ｄ５７ｄ、且つＤ５５ｃ＞Ｄ５７ｅ、Ｄ５７ｆとなる。ここで、第１の幅Ｄ４４ａ〜Ｄ４４ｃ、Ｄ４５ａ〜Ｄ４５ｃは、第１の領域４４ａ〜４４ｃ、４５ａ〜４５ｃのコンデンサ素体１の第１の外表面１ａにおける幅をいう。また、第３の幅Ｄ５５ａ〜Ｄ５５ｃ、Ｄ５４ａ〜Ｄ５４ｃは、第３の領域５４ａ〜５４ｃ、５５ａ〜５５ｃのコンデンサ素体１の第２の外表面１ｂにおける幅をいう。
【００６３】
第２実施形態に係る積層コンデンサの第１の内部電極４０、４１にはコンデンサ素体１の第１の外表面１ａに臨むように第１のスリット部４２ａ〜４２ｃ、４３ａ〜４３ｃの第１の領域４４ａ〜４４ｃ、４５ａ〜４５ｃが、第２の内部電極５０、５１にはコンデンサ素体１の第２の外表面１ｂに臨むように第２のスリット部５２ａ〜５２ｃ、５３ａ〜５３ｃの第３の領域５４ａ〜５４ｃ、５５ａ〜５５ｃが形成されている。そのため、端子電極３、５が形成されたコンデンサ素体１の第１の外表面１ａ、１ｂ近傍で第１又は第２の内部電極４０、４１、５０、５１と誘電体層１０〜１４とが積層される層間では、第１又は第３の領域４４ａ〜４４ｃ、４５ａ〜４５ｃ、５４ａ〜５４ｃ、５５ａ〜５５ｃが形成されている領域において、コンデンサ素体１を構成する誘電体層１０〜１４同士が直接接触して積層される。
【００６４】
誘電体層同士の密着性は、誘電体層と内部電極との間の密着性に比べ極めて高い。そのため、第２実施形態に係る積層コンデンサでは、コンデンサ素体１の第１の外表面１ａ、１ｂ近傍においても層間の密着性が良好になり、クラックの発生を抑制することが可能となる。
【００６５】
また、第１の内部電極４０、４１の第１のスリット部４２ａ〜４２ｃ、４３ａ〜４３ｃにはさらに第２の領域４６ａ〜４６ｆ、４７ａ〜４７ｆが、第２の内部電極５０、５１の第２のスリット部５２ａ〜５２ｃ、５３ａ〜５３ｃにはさらに第４の領域５６ａ〜５６ｆ、５７ａ〜５７ｆがそれぞれ誘電体層１１〜１４を露出するように形成されている。したがって、第２及び第４の領域４６ａ〜４６ｆ、４７ａ〜４７ｆ、５６ａ〜５６ｆ、５７ａ〜５７ｆが形成されている領域に関しては、内部電極を間に挟むように位置する誘電体層１１〜１４同士が直接接触する。そのため、コンデンサ素体１の外表面近傍以外の部分においても密着度が向上し、クラックの発生をより一層抑制することが可能となる。
【００６６】
また、第２及び第４の領域４６ａ〜４６ｆ、４７ａ〜４７ｆ、５６ａ〜５６ｆ、５７ａ〜５７ｆが形成されている領域には、実際には電極が存在しないため、コンデンサ素体１に対し積層方向に沿って力を加えた場合、第２及び第４の領域４６ａ〜４６ｆ、４７ａ〜４７ｆ、５６ａ〜５６ｆ、５７ａ〜５７ｆが形成された領域に対して加わる力は弱くなる。したがって、第２及び第４の領域４６ａ〜４６ｆ、４７ａ〜４７ｆ、５６ａ〜５６ｆ、５７ａ〜５７ｆは、バインダを除去する際に生じるガスを外部に放出させる通路として機能する。
【００６７】
また、第１のスリット部４２ａ〜４２ｃ、４３ａ〜４３ｃにおいて、第１の領域４４ａ〜４４ｃ、４５ａ〜４５ｃの幅（第１の幅）Ｄ４４ａ〜Ｄ４４ｃ、Ｄ４５ａ〜Ｄ４５ｃは、第２の領域４６ａ〜４６ｆ、４７ａ〜４７ｆの幅（第２の幅）Ｄ４６ａ〜Ｄ４６ｆ、Ｄ４７ａ〜Ｄ４７ｆよりも広い。第２のスリット部５２ａ〜５２ｃ、５３ａ〜５３ｃにおいて、第３の領域５４ａ〜５４ｃ、５５ａ〜５５ｃの幅（第３の幅）Ｄ５４ａ〜Ｄ５４ｃ、Ｄ５５ａ〜Ｄ５５ｃは、第４の領域５６ａ〜５６ｆ、５７ａ〜５７ｆの幅（第４の幅）Ｄ５６ａ〜Ｄ５６ｆ、Ｄ５７ａ〜Ｄ５７ｆよりも広い。さらに、第１のスリット部４２ａ〜４２ｃ、４３ａ〜４３ｃにおいて各第２の領域４６ａ〜４６ｆ、４７ａ〜４７ｆは対応する第１の領域４４ａ〜４４ｃ、４５ａ〜４５ｃと、第２のスリット部５２ａ〜５２ｃ、５３ａ〜５３ｃにおいて各第４の領域５６ａ〜５６ｆ、５７ａ〜５７ｆは対応する第３の領域５４ａ〜５４ｃ、５５ａ〜５５ｃとそれぞれ連続し、第１及び第３の領域４４ａ〜４４ｃ、４５ａ〜４５ｃ、５４ａ〜５４ｃ、５５ａ〜５５ｃは第２及び第４の領域４６ａ〜４６ｆ、４７ａ〜４７ｆ、５６ａ〜５６ｆ、５７ａ〜５７ｆを通ってきたガスの放出口として機能する。第１及び第２のスリット部２２、２３、３２、３３において、第１及び第２の領域４４ａ〜４４ｃ、４５ａ〜４５ｃ、４６ａ〜４６ｆ、４７ａ〜４７ｆ、並びに第３及び第４の領域５４ａ〜５４ｃ、５５ａ〜５５ｃ、５６ａ〜５６ｆ、５７ａ〜５７ｆそれぞれがこのように有機的に関連することにより、第２実施形態ではバインダを除去する際に生じるガスの放出をより一層促進することが可能となる。
【００６８】
このように、第２実施形態に係る積層コンデンサでは、第１及び第２のスリット部４２ａ〜４２ｃ、４３ａ〜４３ｃ、５２ａ〜５２ｃ、５３ａ〜５３ｃを形成してコンデンサ素体１の層間の密着性を高めるとともに、これらのスリット部４２ａ〜４２ｃ、４３ａ〜４３ｃ、５２ａ〜５２ｃ、５３ａ〜５３ｃの形状を工夫して、バインダを除去する際に生じるガスの放出を容易とすることで、クラックの発生を効果的に抑制することを可能とする。
【００６９】
また、バインダを除去する際に生じるガスを放出するための通路として機能する第２及び第４の領域４６ａ〜４６ｆ、４７ａ〜４７ｆ、５６ａ〜５６ｆ、５７ａ〜５７ｆそれぞれの幅は、第１及び第３の領域４４ａ〜４４ｃ、４５ａ〜４５ｃ、５４ａ〜５４ｃ、５５ａ〜５５ｃの幅に比べて狭い。そのため、第２実施形態に係る積層コンデンサでは、静電容量の低減を抑えつつ、クラックの発生を抑制することが可能となる。
【００７０】
第１の領域４４ａ〜４４ｃ、４５ａ〜４５ｃは、内部電極対向方向に見て、第２の内部電極５０、５１の第１の外表面１ａ側の端と第１の外表面１ａとの間の範囲に位置する。また、第３の領域５４ａ〜５４ｃ、５５ａ〜５５ｃは、内部電極対向方向に見て、第１の内部電極４０、４１の第２の外表面１ｂ側の端と第２の外表面１ｂとの間の範囲に位置する。第１及び第３の領域４４ａ〜４４ｃ、４５ａ〜４５ｃ、５４ａ〜５４ｃ、５５ａ〜５５ｃはそれぞれ、静電容量の形成に寄与しない部分に形成されており、第２実施形態に係る積層コンデンサでは、静電容量を低下させることなくクラックの発生を抑制することができる。
【００７１】
各第１のスリット部４２ａ〜４２ｃ、４３ａ〜４３ｃは、第２の領域４６ａ〜４６ｆ、４７ａ〜４７ｆを複数（各２つ）含む。各第２のスリット部５２ａ〜５２ｃ、５３ａ〜５３ｃは、第４の領域５６ａ〜５６ｆ、５７ａ〜５７ｆを複数（各２つ）含む。そのため、バインダを除去する際に生じるガスが様々な経路を通ることができるようになり、上記ガスの放出をより一層促進することが可能となる。
【００７２】
また、第２の領域４６ａ〜４６ｆ、４７ａ〜４７ｆはいずれも、第１の内部電極４０、４１の長手方向に沿って伸びている。第４の領域５６ａ〜５６ｆ、５７ａ〜５７ｆは、第２の内部電極５０、５１の長手方向に沿って伸びている。このように、略長方形形状の内部電極４０、４１、５０，５１に対し、長方形の長手方向に伸びる第２及び第４の領域４６ａ〜４６ｆ、４７ａ〜４７ｆ、５６ａ〜５６ｆ、５７ａ〜５７ｆを形成することで、バインダを除去する際に生じるガスの効果的な放出が可能となる。
【００７３】
第１のスリット部４２ａ〜４２ｃ、４３ａ〜４３ｃの第２の領域４６ａ〜４６ｆ、４７ａ〜４７ｆと第２のスリット部５２ａ〜５２ｃ、５３ａ〜５３ｃの第４の領域５６ａ〜５６ｆ、５７ａ〜５７ｆは、コンデンサ素体１の積層方向で見て互いに重なりあう部分を有するように形成されている。そのため、第２及び第４の領域４６ａ〜４６ｆ、４７ａ〜４７ｆ、５６ａ〜５６ｆ、５７ａ〜５７ｆの形成によって静電容量が低下することを効率的に抑えることが可能となる。
【００７４】
（第３実施形態）
図６を参照して、第３実施形態に係る積層コンデンサの構成について説明する。第３実施形態は、第１及び第２の内部電極がそれぞれ接続スリット部をさらに有する点で第１実施形態に係る積層コンデンサＣ１と相違する。図４は、第３実施形態に係る積層コンデンサに含まれるコンデンサ素体の分解斜視図である。
【００７５】
第３実施形態に係る積層コンデンサは、図示は省略するが、第１実施形態に係る積層コンデンサＣ１と同じく、コンデンサ素体１と、当該コンデンサ素体１に形成された第１の端子電極３と、同じくコンデンサ素体１に形成された第２の端子電極５とを備えている。
【００７６】
コンデンサ素体１は、図６に示されるように、複数（本実施形態では、５層）の誘電体層１０〜１４と、複数（本実施形態では、４層）の内部電極６０、６１、７０、７１とが交互に積層されることにより構成される。すなわち、各１層の第１及び第２の内部電極６０、６１、７０、７１が１層の誘電体層１０〜１４を挟んで対向するように配されている。
【００７７】
各第１の内部電極６０、６１は、第１及び第２の外表面１ａ、１ｂの対向方向を長手方向とする略長方形状を呈している。第１の内部電極６０、６１は、第１の外表面１ａに引き出されるように設けられると共に第１の端子電極３に電気的に接続される。第１の内部電極６０、６１は、コンデンサ素体１における第１及び第２の内部電極６０、６１、７０、７１の対向方向（以下、単に「内部電極対向方向」と称する。）に平行な外表面（第１の外表面１ａを除く）から所定の間隔を有した位置にそれぞれ形成されている。
【００７８】
各第１の内部電極６０、６１は、第１の外表面１ａ側の端から伸びる第１のスリット部６２ａ、６２ｂ、６２ｃ、６３ａ、６３ｂ、６３ｃを複数（本実施形態では、各３つ）有する。各第１のスリット部６２ａ〜６２ｃ、６３ａ〜６３ｃは、誘電体層１１、１３が露出するように形成されている。各第１のスリット部６２ａ〜６２ｃ、６３ａ〜６３ｃは、第１の領域６４ａ〜６４ｃ、６５ａ〜６５ｃと第２の領域６６ａ〜６６ｃ、６７ａ〜６７ｃとを含む。また、各第１の内部電極６０、６１は、複数の第１のスリット部６２ａ〜６２ｃ、６３ａ〜６３ｃの第２の領域６６ａ〜６６ｃ、６７ａ〜６７ｃを接続するように伸びるスリット部６８、６９を更に有する。
【００７９】
各第１の領域６４ａ〜６４ｃ、６５ａ〜６５ｃは、第１の外表面１ａに臨むように位置する。各第２の領域６６ａ〜６６ｃ、６７ａ〜６７ｃは、対応する第１の領域６４ａ〜６４ｃ、６５ａ〜６５ｃにつながるように位置する。
【００８０】
各第２の領域６６ａ〜６６ｃ、６７ａ〜６７ｃは、第１の内部電極６０、６１の第２の外表面１ｂ側の短辺から第１の外表面１ａに向かって所定距離離れたところまで、第１の内部電極６０、６１の長手方向に沿って伸びる。
【００８１】
スリット部６８、６９は、例えば長方形状の第１の内部電極６０、６１の長手方向の中央付近に位置し、第１の内部電極６０，６１の短手方向と平行になるように形成される。
【００８２】
各第２の内部電極７０、７１は、第１及び第２の外表面１ａ、１ｂの対向方向を長手方向とする略長方形状を呈している。第２の内部電極７０、７１は、第２の外表面１ｂに引き出されるように設けられると共に第２の端子電極５に電気的に接続される。第２の内部電極７０、７１は、コンデンサ素体１の内部電極対向方向に平行な外表面（第２の外表面１ｂを除く）から所定の間隔を有した位置にそれぞれ形成されている。
【００８３】
各第２の内部電極７０、７１は、第２の外表面１ｂ側の端から伸びる第２のスリット部７２ａ、７２ｂ、７２ｃ、７３ａ、７３ｂ、７３ｃを複数（本実施形態では、各３つ）有する。各第２のスリット部７２ａ〜７２ｃ、７３ａ〜７３ｃは、誘電体層１２、１４が露出するように形成されている。各第２のスリット部７２ａ〜７２ｃ、７３ａ〜７３ｃは、第３の領域７４ａ〜７４ｃ、７５ａ〜７５ｃと第４の領域７６ａ〜７６ｃ、７７ａ〜７７ｃとを含む。また、各第２の内部電極７０、７１は、複数の第２のスリット部７２ａ〜７２ｃ、７３ａ〜７３ｃの第２の領域７６ａ〜７６ｃ、７７ａ〜７７ｃを接続するように伸びるスリット部７８、７９を更に有する。
【００８４】
各第３の領域７４ａ〜７４ｃ、７５ａ〜７５ｃは、第２の外表面１ｂに臨むように位置する。各第４の領域７６ａ〜７６ｃ、７７ａ〜７７ｃは、対応する第３の領域７４ａ〜７４ｃ、７５ａ〜７５ｃにつながるように位置する。
【００８５】
各第４の領域７６ａ〜７６ｃ、７７ａ〜７７ｃは、第２の内部電極７０、７１の第１の外表面１ａ側の短辺から第２の外表面１ｂに向かって所定距離離れたところまで、第２の内部電極７０、７１の長手方向に沿って伸びる。
【００８６】
第１の領域６４ａ〜６４ｃ、６５ａ〜６５ｃはいずれも、内部電極対向方向に見て、第２の内部電極７０、７１の第１の外表面１ａ側の端と第１の外表面１ａとの間の範囲に位置する。第３の領域７４ａ〜７４ｃ、７５ａ〜７５ｃはいずれも、内部電極対向方向に見て、第１の内部電極６０、６１の第２の外表面１ｂ側の端と第２の外表面１ｂとの間の範囲に位置する。
【００８７】
第２の領域６６ａ〜６６ｃ、６７ａ〜６７ｃ及び第４の領域７６ａ〜７６ｃ、７７ａ〜７７ｃがコンデンサ素体１の内部電極対向方向で見て互いに重なりあう部分を有するように、第２の領域６６ａ〜６６ｃ、６７ａ〜６７ｃ及び第４の領域７６ａ〜７６ｃ、７７ａ〜７７ｃはそれぞれ形成されている。
【００８８】
図７を参照して、第１の領域６４ａ〜６４ｃと第２の領域６６ａ〜６６ｃとの関係及び第３の領域７４ａ〜７４ｃと第４の領域７６ａ〜７６ｃとの関係についてそれぞれ詳細に説明する。図７（ａ）は、第１の領域６４ａ〜６４ｃの幅と第２の領域６６ａ〜６６ｃの幅との関係を説明するための図である。図７（ａ）に示されるように、第２の領域６６ａ〜６６ｃそれぞれの幅である第２の幅Ｄ６６ａ〜Ｄ６６ｃは、第１の領域６４ａ〜６４ｃの幅である第１の幅Ｄ６４ａ〜Ｄ６４ｃに比べて狭い。すなわち、Ｄ６４ａ＞Ｄ６６ａ、且つＤ６４ｂ＞Ｄ６６ｂ、且つＤ６４ｃ＞Ｄ６６ｃとなる。
【００８９】
図７（ｂ）は、第３の領域７４ａ〜７４ｃの幅と第４の領域７６ａ〜７６ｃの幅との関係を説明するための図である。図７（ｂ）に示されるように、第４の領域７６ａ〜７６ｃそれぞれの幅である第４の幅Ｄ７６ａ〜Ｄ７６ｃは、第３の領域７４ａ〜７４ｃの幅である第３の幅Ｄ７４ａ〜Ｄ７４ｃに比べて狭い。すなわち、Ｄ７４ａ＞Ｄ７６ａ、且つＤ７４ｂ＞Ｄ７６ｂ、且つＤ７４ｃ＞Ｄ７６ｃとなる。
【００９０】
また、図示は省略するが、第１のスリット部６３ａ〜６３ｃの第２の領域６７ａ〜６７ｃそれぞれの幅である第２の幅Ｄ６７ａ〜Ｄ６７ｃは、第１の領域６５ａ〜６５ｃの幅である第１の幅Ｄ６５ａ〜Ｄ６５ｃに比べて狭い。すなわち、Ｄ６５ａ＞Ｄ６７ａ、且つＤ６５ｂ＞Ｄ６７ｂ、且つＤ６５ｃ＞Ｄ６７ｃとなる。同じく、図示は省略するが、第２のスリット部７３ａ〜７３ｃの第４の領域７７ａ〜７７ｃそれぞれの幅である第４の幅Ｄ６７ａ〜Ｄ６７ｃは、第３の領域７５ａ〜７５ｃの幅である第３の幅Ｄ７５ａ〜Ｄ７５ｃに比べて狭い。すなわち、Ｄ７５ａ＞Ｄ７７ａ、且つＤ７５ｂ＞Ｄ７７ｂ、且つＤ７５ｃ＞Ｄ７７ｃとなる。ここで、第１の幅Ｄ６４ａ〜Ｄ６４ｃ、Ｄ６５ａ〜Ｄ６５ｃは、第１の領域６４ａ〜６４ｃ、６５ａ〜６５ｃのコンデンサ素体１の第１の外表面１ａにおける幅をいう。また、第３の幅Ｄ７４ａ〜Ｄ７４ｃ、Ｄ７５ａ〜Ｄ７５ｃは、第３の領域７４ａ〜７４ｃ、７５ａ〜７５ｃのコンデンサ素体１の第２の外表面１ｂにおける幅をいう。
【００９１】
第３実施形態に係る積層コンデンサの第１の内部電極６０、６１にはコンデンサ素体１の第１の外表面１ａに臨むように第１のスリット部６２ａ〜６２ｃ、６３ａ〜６３ｃの第１の領域６４ａ〜６４ｃ、６５ａ〜６５ｃが、第２の内部電極７０、７１にはコンデンサ素体１の第２の外表面１ｂに臨むように第２のスリット部７２ａ〜７２ｃ、７３ａ〜７３ｃの第３の領域７４ａ〜７４ｃ、７５ａ〜７５ｃが形成されている。そのため、端子電極３、５が形成されたコンデンサ素体１の第１の外表面１ａ、１ｂ近傍で第１又は第２の内部電極６０、６１、７０、７１と誘電体層１０〜１４とが積層される層間では、第１又は第３の領域６４ａ〜６４ｃ、６５ａ〜６５ｃ、７４ａ〜７４ｃ、７５ａ〜７５ｃが形成されている領域において、コンデンサ素体１を構成する誘電体層１０〜１４同士が直接接触して積層される。
【００９２】
誘電体層同士の密着性は、誘電体層と内部電極との間の密着性に比べ極めて高い。そのため、第３実施形態に係る積層コンデンサでは、コンデンサ素体１の第１の外表面１ａ、１ｂ近傍においても層間の密着性が良好になり、クラックの発生を抑制することが可能となる。なお、第１及び第３の領域６４ａ〜６４ｃ、６５ａ〜６５ｃ、７４ａ〜７４ｃ、７５ａ〜７５ｃの外表面１ａ、１ｂに臨む幅は、広い方がより大きい面積で誘電体層同士を接触させられ密着性をより一層向上できるため好適である。
【００９３】
また、第１の内部電極６０、６１の第１のスリット部６２ａ〜６２ｃ、６３ａ〜６３ｃにはさらに第２の領域６６ａ〜６６ｃ、６７ａ〜６７ｃが、第２の内部電極７０、７１の第２のスリット部７２ａ〜７２ｃ、７３ａ〜７３ｃにはさらに第４の領域７６ａ〜７６ｃ、７７ａ〜７７ｃがそれぞれ誘電体層１１〜１４を露出するように形成されている。したがって、第２及び第４の領域６６ａ〜６６ｃ、６７ａ〜６７ｃ、７６ａ〜７６ｃ、７７ａ〜７７ｃが形成されている領域に関しては、内部電極を間に挟むように位置する誘電体層１１〜１４同士が直接接触する。そのため、コンデンサ素体１の外表面近傍以外の部分においても密着度が向上し、クラックの発生をより一層抑制することが可能となる。
【００９４】
また、第２及び第４の領域６６ａ〜６６ｃ、６７ａ〜６７ｃ、７６ａ〜７６ｃ、７７ａ〜７７ｃが形成されている領域には、実際には電極が存在しないため、コンデンサ素体１に対し積層方向に沿って力を加えた場合、第２及び第４の領域６６ａ〜６６ｃ、６７ａ〜６７ｃ、７６ａ〜７６ｃ、７７ａ〜７７ｃが形成された領域に対して加わる力は弱くなる。したがって、第２及び第４の領域６６ａ〜６６ｃ、６７ａ〜６７ｃ、７６ａ〜７６ｃ、７７ａ〜７７ｃは、バインダを除去する際に生じるガスを外部に放出させる通路として機能する。
【００９５】
また、第１のスリット部６２ａ〜６２ｃ、６３ａ〜６３ｃにおいて、第１の領域６４ａ〜６４ｃ、６５ａ〜６５ｃの幅（第１の幅）Ｄ６４ａ〜Ｄ６４ｃ、Ｄ６５ａ〜Ｄ６５ｃは、第２の領域６６ａ〜６６ｃ、６７ａ〜６７ｃの幅（第２の幅）Ｄ６６ａ〜Ｄ６６ｃ、Ｄ６７ａ〜Ｄ６７ｃよりも広い。第２のスリット部７２ａ〜７２ｃ、７３ａ〜７３ｃにおいて、第３の領域７４ａ〜７４ｃ、７５ａ〜７５ｃの幅（第３の幅）Ｄ７４ａ〜Ｄ７４ｃ、Ｄ７５ａ〜Ｄ７５ｃは、第４の領域７６ａ〜７６ｃ、７７ａ〜７７ｃの幅（第４の幅）Ｄ７６ａ〜Ｄ７６ｃ、Ｄ７７ａ〜Ｄ７７ｃよりも広い。さらに、第１のスリット部６２ａ〜６２ｃ、６３ａ〜６３ｃにおいて各第２の領域６６ａ〜６６ｃ、６７ａ〜６７ｃは対応する第１の領域６４ａ〜６４ｃ、６５ａ〜６５ｃと、第２のスリット部７２ａ〜７２ｃ、７３ａ〜７３ｃにおいて各第４の領域７６ａ〜７６ｃ、７７ａ〜７７ｃは対応する第３の領域７４ａ〜７４ｃ、７５ａ〜７５ｃとそれぞれ連続し、第１及び第３の領域６４ａ〜６４ｃ、６５ａ〜６５ｃ、７４ａ〜７４ｃ、７５ａ〜７５ｃは第２及び第４の領域６６ａ〜６６ｃ、６７ａ〜６７ｃ、７６ａ〜７６ｃ、７７ａ〜７７ｃを通ってきたガスの放出口として機能する。第１及び第２のスリット部２２、２３、３２、３３において、第１及び第２の領域６４ａ〜６４ｃ、６５ａ〜６５ｃ、６６ａ〜６６ｃ、６７ａ〜６７ｃ、並びに第３及び第４の領域７４ａ〜７４ｃ、７５ａ〜７５ｃ、７６ａ〜７６ｃ、７７ａ〜７７ｃそれぞれがこのように有機的に関連することにより、第３実施形態ではバインダを除去する際に生じるガスの放出をより一層促進することが可能となる。
【００９６】
このように、第３実施形態に係る積層コンデンサでは、第１及び第２のスリット部６２ａ〜６２ｃ、６３ａ〜６３ｃ、７２ａ〜７２ｃ、７３ａ〜７３ｃを形成してコンデンサ素体１の層間の密着性を高めるとともに、これらのスリット部６２ａ〜６２ｃ、６３ａ〜６３ｃ、７２ａ〜７２ｃ、７３ａ〜７３ｃの形状を工夫して、バインダを除去する際に生じるガスの放出を容易とすることで、クラックの発生を効果的に抑制することを可能とする。
【００９７】
また、バインダを除去する際に生じるガスを放出するための通路として機能する第２及び第４の領域６６ａ〜６６ｃ、６７ａ〜６７ｃ、７６ａ〜７６ｃ、７７ａ〜７７ｃそれぞれの幅は、第１及び第３の領域６４ａ〜６４ｃ、６５ａ〜６５ｃ、７４ａ〜７４ｃ、７５ａ〜７５ｃの幅に比べて狭い。そのため、第３実施形態に係る積層コンデンサでは、静電容量の低減を抑えつつ、クラックの発生を抑制することが可能となる。
【００９８】
第１の領域６４ａ〜６４ｃ、６５ａ〜６５ｃは、内部電極対向方向に見て、第２の内部電極７０、７１の第１の外表面１ａ側の端と第１の外表面１ａとの間の範囲に位置する。また、第３の領域７４ａ〜７４ｃ、７５ａ〜７５ｃは、内部電極対向方向に見て、第１の内部電極６０、６１の第２の外表面１ｂ側の端と第２の外表面１ｂとの間の範囲に位置する。第１及び第３の領域６４ａ〜６４ｃ、６５ａ〜６５ｃ、７４ａ〜７４ｃ、７５ａ〜７５ｃはそれぞれ、静電容量の形成に寄与しない部分に形成されており、第３実施形態に係る積層コンデンサでは、静電容量を低下させることなくクラックの発生を抑制することができる。
【００９９】
第１及び第２のスリット部６２ａ〜６２ｃ、６３ａ〜６３ｃ、７２ａ〜７２ｃ、７３ａ〜７３ｃはそれぞれ複数であり、スリット部６８、６９、７８、７９によって第２及び第４の領域６６ａ〜６６ｃ、６７ａ〜６７ｃ、７６ａ〜７６ｃ、７７ａ〜７７ｃはそれぞれ接続されている。このようにスリット部が形成されていることにより、バインダを除去する際に生じるガスは様々な経路を通ることが可能となる。そのため、上記ガスの放出をより一層促進することが可能となる。
【０１００】
また、第２の領域６６ａ〜６６ｃ、６７ａ〜６７ｃはいずれも、第１の内部電極６０、６１の長手方向に沿って伸びている。第４の領域７６ａ〜７６ｃ、７７ａ〜７７ｃは、第２の内部電極７０、７１の長手方向に沿って伸びている。このように、略長方形形状の内部電極６０、６１、７０，７１に対し、長方形の長手方向に伸びる第２及び第４の領域６６ａ〜６６ｃ、６７ａ〜６７ｃ、７６ａ〜７６ｃ、７７ａ〜７７ｃを形成することで、バインダを除去する際に生じるガスの効果的な放出が可能となる。
【０１０１】
第１のスリット部６２ａ〜６２ｃ、６３ａ〜６３ｃの第２の領域６６ａ〜６６ｃ、６７ａ〜６７ｃと第２のスリット部７２ａ〜７２ｃ、７３ａ〜７３ｃの第４の領域７６ａ〜７６ｃ、７７ａ〜７７ｃは、コンデンサ素体１の積層方向で見て互いに重なりあう部分を有するように形成されている。そのため、第２及び第４の領域６６ａ〜６６ｃ、６７ａ〜６７ｃ、７６ａ〜７６ｃ、７７ａ〜７７ｃの形成によって静電容量が低下することを効率的に抑えることが可能となる。
【０１０２】
以上、本発明の好適な実施形態について詳細に説明したが、本発明は上記実施形態に限定されるものではない。例えば、誘電体層１０〜１４の積層数及び第１及び第２の内部電極２０、２１、３０、３１、４０、４１、５０、５１、６０、６１、７０、７１の積層数は、上述した実施形態に記載された数に限られない。また、第１及び第２の内部電極２０、２１、３０、３１、４０、４１、５０、５１、６０、６１、７０、７１の形状は、上述した実施形態に記載された形状に限られない。また、第１の内部電極２０、２１、４０、４１、６０、６１に形成された第１のスリット部２２、２３、４２ａ〜４２ｃ、４３ａ〜４３ｃ、６２ａ〜６２ｃ、６３ａ〜６３ｃ及びスリット部６８、６９の数、配置及び形状は、上述した実施形態に記載された数、配置及び形状に限られない。また、第２の内部電極３０、３１、５０、５１、７０、７１に形成された第２のスリット部３２、３３、５２ａ〜５２ｃ、５３ａ〜５３ｃ、７２ａ〜７２ｃ、７３ａ〜７３ｃ及びスリット部７８、７９の数、配置及び形状は、上述した実施形態に記載された数、配置及び形状に限られない。
【０１０３】
また、第１の領域２４、２５、４４ａ〜４４ｃ、４５ａ〜４５ｃ、６４ａ〜６４ｃ、６５ａ〜６５ｃは、第１の内部電極２０、２１、４０、４１、６０、６１のうち、コンデンサ素体１の内部電極対向方向に沿って見たときに、第２の内部電極３０、３１、５０、５１、７０、７１の第１の外表面１ａ側の端と第１の外表面１ａとの間の範囲に位置しなくてもよい。第２幅広スリット部３４、４５、５４ａ〜５４ｃ、５５ａ〜５５ｃ、７４ａ〜７４ｃ、７５ａ〜７５ｃは、第２の内部電極３０、３１、５０、５１、７０、７１のうち、コンデンサ素体１の内部電極対向方向に沿って見たときに、第１の内部電極２０、２１、４０、４１、６０、６１の第２の外表面１ｂ側の端と第２の外表面１ｂとの間の範囲に位置しなくてもよい。第１〜４の領域は、上述した実施形態に記載された数、配置、及び形状と異なる数、配置、及び形状でもよい。
【０１０４】
第２の領域２６、２７、４６ａ〜４６ｃ、４７ａ〜４７ｃ、６６ａ〜６６ｃ、６７ａ〜６７ｃ及び第４の領域３６、３７、５６ａ〜５６ｃ、５７ａ〜５７ｃ、７６ａ〜７６ｃ、７７ａ〜７７ｃが、コンデンサ素体１の内部電極対向方向で見て重なる部分を有していなくてもよい。
【図面の簡単な説明】
【０１０５】
【図１】第１実施形態に係る積層コンデンサの斜視図である。
【図２】第１実施形態に係る積層コンデンサに含まれるコンデンサ素体の分解斜視図である。
【図３】第１実施形態に係る積層コンデンサに含まれる幅広スリット部の幅と幅狭スリット部の幅との関係を説明するための図である。
【図４】第２実施形態に係る積層コンデンサに含まれるコンデンサ素体の分解斜視図である。
【図５】第２実施形態に係る積層コンデンサに含まれる幅広スリット部の幅と幅狭スリット部の幅との関係を説明するための図である。
【図６】第３実施形態に係る積層コンデンサに含まれるコンデンサ素体の分解斜視図である。
【図７】第３実施形態に係る積層コンデンサに含まれる幅広スリット部の幅と幅狭スリット部の幅との関係を説明するための図である。
【符号の説明】
【０１０６】
Ｃ１…積層コンデンサ、１…コンデンサ素体、３…第１の端子電極、５…第２の端子電極、１０〜１４…誘電体層、２０、２１、４０、４１、６０、６１…第１の内部電極、２２、２３、４２ａ〜４２ｃ、４３ａ〜４３ｃ、６２ａ〜６２ｃ、６３ａ〜６３ｃ…第１のスリット部、２４、２５、４４ａ〜４４ｃ、４５ａ〜４５ｃ、６４ａ〜６４ｃ、６５ａ〜６５ｃ…第１の領域、２６ａ、２６ｂ、２７ａ、２７ｂ、４６ａ〜４６ｃ、４７ａ〜４７ｃ、６６ａ〜６６ｃ、６７ａ〜６７ｃ…第２の領域、６８、６９…スリット部、３０、３１、５０、５１、７０、７１…第２の内部電極、３２、３３、５２ａ〜５２ｃ、５３ａ〜５３ｃ、７２ａ〜７２ｃ、７３ａ〜７３ｃ…第２のスリット部、３４、３５、５４ａ〜５４ｃ、５５ａ〜５５ｃ、７４ａ〜７４ｃ、７５ａ〜７５ｃ…第３の領域、３６ａ、３６ｂ、３７ａ、３７ｂ、５６ａ〜５６ｃ、５７ａ〜５７ｃ、７６ａ〜７６ｃ、７７ａ〜７７ｃ…第４の領域、７８、７９…スリット部
【図１】
2007220917.tif 000003
【図２】
2007220917.tif 000004
【図３】
2007220917.tif 000005
【図４】
2007220917.tif 000006
【図５】
2007220917.tif 000007
【図６】
2007220917.tif 000008
【図７】
2007220917.tif 000009